(57)【特許請求の範囲】
【請求項１】
毛髪が植毛されるかつらベースであって、
第１の方向に延びる複数の第１の線状部と、
前記第１の方向に交差する第２の方向に延びる複数の第２の線状部と、
隣接する２つの前記第２の線状部に架け渡される複数の第３の線状部と、
前記複数の第３の線状部と交差しないように、隣接する２つの前記第１の線状部に架け
渡される複数の第４の線状部と、を含み、
前記複数の第３の線状部は、前記第１の方向に延び、
前記複数の第４の線状部は、前記第２の方向に延び、
前記複数の第３の線状部は、隣接する２つの前記第１の線状部と隣接する２つの前記第
２の線状部とで囲まれた領域に単一の前記第３の線状部が位置するように配置され、
前記複数の第４の線状部は、隣接する２つの前記第１の線状部と隣接する２つの前記第
２の線状部とで囲まれた領域に単一の前記第４の線状部が位置するように配置され、
前記複数の第３の線状部と前記複数の第４の線状部とは、前記第１の方向に交互に且つ
前記第２の方向に交互に配置されている
ことを特徴とするかつらベース。
【請求項２】
請求項１記載のかつらベースと、
前記かつらベースに植毛された前記毛髪と、
を備えることを特徴とするかつら。
【発明の詳細な説明】
【技術分野】
【０００１】
本発明は、毛髪が植毛されるかつらベース、及びかつらに関する。
【背景技術】
【０００２】
従来、毛髪が植毛されるかつらベースにおいて、多数の毛束が編み込まれた毛編糸によって構成されるものではあるが、かつらベースの周方向に延びる複数の毛編糸と、この周方向に延びる毛編糸の間をジグザグに架け渡される複数の毛編糸と、を備えることによって三角形状の網目を構成するかつらベースが知られている（例えば、特許文献１参照）。
【先行技術文献】
【特許文献】
【０００３】
【特許文献１】特開平１１−９３０１０号公報
【発明の概要】
【発明が解決しようとする課題】
【０００４】
しかしながら、上述のように三角形状の網目を構成するかつらベースは、隣接する２つの三角形状の網目が連続的に配列される。そのため、かつらベースに植毛される毛髪も規則的に配列されることになる。したがって、かつらの外観が不自然になる。
【０００５】
また、かつらベースの網目の配列を不規則にすると、それに伴いかつらベースの構成が複雑化する。
本発明の目的は、簡単な構成でかつらの外観を自然にすることができるかつらベース及びかつらを提供することである。
【課題を解決するための手段】
【０００６】
１つの観点では、かつらベースは、毛髪が植毛されるかつらベースであって、第１の方向に延びる複数の第１の線状部と、前記第１の方向に交差する第２の方向に延びる複数の第２の線状部と、隣接する２つの前記第２の線状部に架け渡される複数の第３の線状部と、前記複数の第３の線状部と交差しないように、隣接する２つの前記第１の線状部に架け渡される複数の第４の線状部と、を含む。
【０００７】
また、前記かつらベースにおいて、前記複数の第３の線状部は、前記第１の方向に延び、前記複数の第４の線状部は、前記第２の方向に延びるとよい。
また、前記かつらベースにおいて、前記複数の第３の線状部は、隣接する２つの前記第１の線状部と隣接する２つの前記第２の線状部とで囲まれた領域に単一の前記第３の線状部が位置するように配置され、前記複数の第４の線状部は、隣接する２つの前記第１の線状部と隣接する２つの前記第２の線状部とで囲まれた領域に単一の前記第４の線状部が位置するように配置されているとよい。
【０００８】
また、前記かつらベースにおいて、前記複数の第３の線状部と前記複数の第４の線状部とは、前記第１の方向に交互に且つ前記第２の方向に交互に配置されているとよい。
他の観点では、かつらは、前記かつらベースと、前記かつらベースに植毛された前記毛髪と、を備える。
【発明の効果】
【０００９】
本発明によれば、簡単な構成でかつらの外観を自然にすることができる。
【図面の簡単な説明】
【００１０】
【図１】本発明の一実施の形態に係るかつらを示す平面図である。
【図２】図１のＡ部拡大図である。
【発明を実施するための形態】
【００１１】
以下、本発明の一実施の形態に係るかつらベース及びかつらについて、図面を参照しながら説明する。
図１は、本発明の一実施の形態に係るかつら１を示す平面図である。
【００１２】
図１に示すかつら１は、かつらベース１０と、毛髪２０と、を備える。かつら１は、図１に示すようにかつら装着者の頭部の全体に配置される全頭かつらであってもよいし、かつら装着者の頭部の一部に配置される部分かつらであってもよい。
【００１３】
かつらベース１０は、本体部１１と、周縁部１２と、分け目部１３と、を有する。かつらベース本体部１１には、毛髪２０が植毛されている。毛髪２０は、例えば人工毛髪であるが、加工人毛などの人工毛髪以外の毛髪であってもよい。なお、図１において、毛髪２０は、本体部１１、周縁部１２、及び分け目部１３のそれぞれに数本のみ図示するが、実際には、例えば密集するようにかつらベース１０に植毛される。
【００１４】
周縁部１２は、本体部１１とは異なる部材から形成されているか、或いは、本体部１１を折り返すことで形成されている。
分け目部１３は、例えば、合成樹脂からなる人工皮膚により形成されている。また、分け目部１３は、本体部１１を刳り貫いた部分に配置されているか、或いは、本体部１１上に重なるように配置されている。
【００１５】
なお、本実施の形態では、周縁部１２及び分け目部１３が設けられたかつらベース１０を一例として説明しているが、かつらベース１０としては、本体部１１を有するものであればよい。
【００１６】
図２は、図１のＡ部拡大図である。このＡ部は、本体部１１の一部である。
図２に示すように、本体部１１は、複数の第１の線状部１１ａと、複数の第２の線状部１１ｂと、複数の第３の線状部１１ｃと、複数の第４の線状部１１ｄと、を含む。これらの第１〜第４の線状部１１ａ〜１１ｄは、例えば、複数本の糸を撚り合わせた撚り糸であり、撚り糸の一部の糸に対して毛髪２０が結び付けられる。撚り糸の他の一部の糸は、毛髪２０が撚り糸に沿って移動するのを抑える。
【００１７】
複数の第１の線状部１１ａは、例えば、かつら１の前後方向（図１及び図２では上下方向）から４５°傾いた第１の方向Ｄ１に延びる。また、複数の第１の線状部１１ａは、例えば一定間隔で本体部１１の全体に亘って配列されている。
【００１８】
複数の第２の線状部１１ｂは、第１の方向Ｄ１に直交（交差の一例）する第２の方向Ｄ２に延びる。この第２の方向Ｄ２は、例えば、かつら１の前後方向から第１の方向Ｄ１とは反対側に４５°傾いた方向である。また、複数の第２の線状部１１ｂは、例えば一定間隔で本体部１１の全体に亘って配列されている。
【００１９】
なお、第１の方向Ｄ１及び第２の方向Ｄ２は、かつら１の前後方向から４５°傾いた方向に限られず、例えば、第１の方向Ｄ１及び第２の方向Ｄ２のうち一方が、かつら１の前後方向と平行であってもよい。
【００２０】
複数の第３の線状部１１ｃは、隣接する２つの第２の線状部１１ｂに架け渡される。つまり、複数の第３の線状部１１ｃの長さは、隣接する２つの第２の線状部１１ｂの間隔と同一である。また、複数の第３の線状部１１ｃは、例えば第１の方向Ｄ１に延びる。なお、複数の第３の線状部１１ｃは、隣接する２つの第１の線状部１１ａと隣接する２つの第２の線状部１１ｂとで囲まれた領域に単一の第３の線状部１１ｃが位置するように配置されることが望ましい。但し、上記の領域に複数本の第３の線状部１１ｃが位置していてもよい。
【００２１】
複数の第４の線状部１１ｄは、複数の第３の線状部１１ｃと交差しないように、隣接する２つの第１の線状部１１ａに架け渡される。つまり、複数の第４の線状部１１ｄの長さは、隣接する２つの第１の線状部１１ａの間隔と同一である。ここで、複数の第４の線状部１１ｄは、複数の第３の線状部１１ｃと交差しない複数の第４の線状部１１ｄを含めば、複数の第３の線状部１１ｃと交差する第４の線状部１１ｄを含んでいてもよい。また、複数の第４の線状部１１ｄは、例えば第２の方向Ｄ２に延びる。なお、複数の第４の線状部１１ｄは、隣接する２つの第２の線状部１１ａと隣接する２つの第２の線状部１１ｂとで囲まれた領域に単一の第４の線状部１１ｄが位置するように配置されることが望ましい。但し、上記の領域に複数本の第４の線状部１１ｄが位置していてもよい。
【００２２】
複数の第３の線状部１１ｃと複数の第４の線状部１１ｄとは、図２に示すように第１の方向Ｄ１に交互に且つ第２の方向Ｄ２に交互に配置されていることが望ましい。
なお、第１〜第４の線状部１１ａ〜１１ｄは、それぞれが独立した部材でなくともよい。例えば、単一の線状の部材が、屈曲するように設けられることによって、第１〜第４の線状部１１ａ〜１１ｄのうちの２つ以上の全体又は一部を構成してもよい。
【００２３】
また、第１の線状部１１ａは、第４の線状部１１ｄが架け渡されることによって、或いは、第２の線状部１１ｂに交差する部分で第２の線状部１１ｂと互いに固定されることによって、直線状を呈さなくなり得る。また、第２の線状部１１ｂは、第３の線状部１１ｃが架け渡されることによって、或いは、第１の線状部１１ａに交差する部分で第１の線状部１１ａと互いに固定されることによって、直線状を呈さなくなり得る。
【００２４】
そして、第１の線状部１１ａに第４の線状部１１ｄが架け渡されることによって、或いは、第２の線状部１１ｂに第３の線状部１１ｃが架け渡されることによって、第１の線状部１１ａと第２の線状部１１ｂと第３の線状部１１ｃ又は第４の線状部１１ｄとによって構成される網目は、四角形状ではなく、ほぼ四角形状の五角形状になりうる。
【００２５】
以上説明した本実施の形態では、毛髪２０が植毛されるかつらベース１０、及び、このかつらベース１０と毛髪２０とを備えるかつら１は、第１の方向Ｄ１に延びる複数の第１の線状部１１ａと、第１の方向Ｄ１に交差する第２の方向Ｄ２に延びる複数の第２の線状部１１ｂと、隣接する２つの第２の線状部１１ｂに架け渡される複数の第３の線状部１１ｃと、複数の第３の線状部１１ｃと交差しないように、隣接する２つの第１の線状部１１ａに架け渡される複数の第４の線状部１１ｄと、を含む。
【００２６】
そのため、一般的なネット状のかつらベースに設けられる互いに交差する第１の線状部１１ａ及び第２の線状部１１ｂに加えて、第３の線状部１１ｃ及び第４の線状部１１ｄを付加するという簡単な構成によって、かつらベース１０において、特定の形状の網目が連続的に配列されるのを防ぐことができる。これにより、第１〜第４の線状部１１ａ〜１１ｄに植毛される毛髪２０が不規則に配列されるため、かつらの外観が不自然になるのを防ぐことができる。よって、本実施の形態によれば、簡単な構成でかつら１の外観を自然にすることができる。
【００２７】
また、本実施の形態では、複数の第３の線状部１１ｃは、第１の方向Ｄ１に延び、複数の第４の線状部１１ｄは、第２の方向Ｄ２に延びる。そのため、第３の線状部１１ｃと第１の線状部１１ａとが平行になること、及び、第４の線状部１１ｄと第２の線状部１１ｂとが平行になることによって、第１〜第４の線状部１１ａ〜１１ｄに植毛される毛髪２０の方向性がばらつくのを抑えることができる。したがって、かつら１の外観をより一層自然にすることができる。
【００２８】
また、本実施の形態では、複数の第３の線状部１１ｃは、隣接する２つの第１の線状部１１ａと隣接する２つの第２の線状部１１ｂとで囲まれた領域に単一の第３の線状部１１ｃが位置するように配置されている。また、複数の第４の線状部１１ｄは、隣接する２つの第１の線状部１１ａと隣接する２つの第２の線状部１１ｂとで囲まれた領域に単一の第４の線状部１１ｄが位置するように配置されている。そのため、隣接する２つの第１の線状部１１ａと隣接する２つの第２の線状部１１ｂとで囲まれた領域において、複数の第３の線状部１１ｃ又は複数の第４の線状部１１ｄが位置する場合よりも、第３の線状部１１ｃ又は第４の線状部１１ｄに植毛される毛髪２０が特定の部分に密集するのを防ぐことができる。したがって、かつら１の外観をより一層自然にすることができる。
【００２９】
また、本実施の形態では、複数の第３の線状部１１ｃと複数の第４の線状部１１ｄとは、第１の方向Ｄ１に交互に且つ第２の方向Ｄ２に交互に配置されている。そのため、第１の方向Ｄ１及び第２の方向Ｄ２において、第３の線状部１１ｃ又は第４の線状部１１ｄが連続して配置される場合よりも、第３の線状部１１ｃ又は第４の線状部１１ｄに植毛される毛髪２０の位置をばらつかせることができる。したがって、かつら１の外観をより一層自然にすることができる。
【符号の説明】
【００３０】
１      かつら
１０      かつらベース
１１      本体部
１１ａ      第１の線状部
１１ｂ      第２の線状部
１１ｃ      第３の線状部
１１ｄ      第４の線状部
１２      周縁部
１３      分け目部
２０      毛髪
【図１】
0006655261.tif 000002
【図２】
0006655261.tif 000003